(57)【要約】  下部に開口部が形成され一側部に排気口が形成された本体筐体と、前記本体筐体内に設置され前記開口部から室内空気を吸込み前記排気口から排気する送風機と、吸込口を有し、前記開口部に設置されて前記吸込口以外の前記開口部を塞ぎ、前記送風機の風路を形成する樹脂製のファンケーシングと、前記本体筐体内の前記ファンケーシングの風路外のコーナー部に設置された端子台を覆うように、前記ファンケーシングの風路外に形成された保護枠と、前記保護枠の下部の保護枠開口部を水密に密閉する開閉可能な樹脂製端子台カバーと、前記保護枠内に設置され前記端子台を収容する板金ケースと、前記板金ケースの下部開口を開閉可能な板金製端子台カバーと、を備える。
2009144778.tif 000002
【特許請求の範囲】
【請求項１】
下部に開口部が形成され一側部に排気口が形成された本体筐体と、
前記本体筐体内に設置され前記開口部から室内空気を吸込み前記排気口から排気する送風機と、
吸込口を有し、前記開口部に設置されて前記吸込口以外の前記開口部を塞ぎ、前記送風機の風路を形成する樹脂製のファンケーシングと、
前記本体筐体内の前記ファンケーシングの風路外のコーナー部に設置された端子台を覆うように、前記ファンケーシングの風路外に形成された保護枠と、
前記保護枠の下部の保護枠開口部を水密に密閉する開閉可能な樹脂製端子台カバーと、
前記保護枠内に設置され前記端子台を収容する板金ケースと、
前記板金ケースの下部開口を開閉可能な板金製端子台カバーと、
を備えることを特徴とする換気装置。
【請求項２】
前記板金ケースに半円筒状のカバー引掛部を設け、該カバー引掛部に前記板金製端子台カバーのスリットを引掛けたことを特徴とする請求項１に記載の換気装置。
【請求項３】
前記板金製端子台カバーを９０°以上開いたとき、前記板金製端子台カバーが前記保護枠の開口部に当接するようにし、前記板金製端子台カバーのスリットが前記半円筒状のカバー引掛部の開口から外れないようにしたことを特徴とする請求項２に記載の換気装置。
【請求項４】
前記樹脂製端子台カバーの裏側にリブを設け、前記板金製端子台カバーが開いた状態で、前記樹脂製端子台カバーを閉じようとしたときに、前記板金製端子台カバーが前記リブに当たり、前記樹脂製端子台カバーを閉じることができないようにしたことを特徴とする請求項１に記載の換気装置。
【発明の詳細な説明】
【技術分野】
【０００１】
本発明は、建物の天井裏等に設置され、室内の空気を吸込んで、ダクトを通して室外へ排気する換気装置に関するものである。
【背景技術】
【０００２】
従来、下面が開口し、一側に排気口を有する本体筐体内に下面の開口から前記排気口に向かう気流を形成する送風機を組込み、この送風機の樹脂製のファンケーシングがその吸込口以外の前記本体筐体の下部の開口部分を塞いだ換気装置であって、本体筐体内部の前記ファンケーシングの風路外のコーナー部に前記送風機に入力する外部電源電線を接続する端子台を設け、前記ファンケーシングにはこの端子台を覆い外周が本体筐体内面と密着し上部が開放した保護枠を形成し、この保護枠の下部を水密状態に密閉する開閉可能な端子台カバーを設けた換気装置がある（例えば、特許文献１参照）。【０００３】
【特許文献１】特開２００５−２８２８９５号公報
【発明の開示】
【発明が解決しようとする課題】
【０００４】
しかしながら、上記従来の技術によれば、電気回路の短絡等により端子台が過熱すると、樹脂製のファンケーシング及び保護枠が損耗する、という問題があった。【０００５】
本発明は、上記に鑑みてなされたものであって、端子台の万一の過熱時に、樹脂製のファンケーシング及び保護枠の損耗を防ぐことができる換気装置を得ることを目的とする。
【課題を解決するための手段】
【０００６】
上述した課題を解決し、目的を達成するために、本発明は、下部に開口部が形成され一側部に排気口が形成された本体筐体と、前記本体筐体内に設置され前記開口部から室内空気を吸込み前記排気口から排気する送風機と、吸込口を有し、前記開口部に設置されて前記吸込口以外の前記開口部を塞ぎ、前記送風機の風路を形成する樹脂製のファンケーシングと、前記本体筐体内の前記ファンケーシングの風路外のコーナー部に設置された端子台を覆うように、前記ファンケーシングの風路外に形成された保護枠と、前記保護枠の下部の保護枠開口部を水密に密閉する開閉可能な樹脂製端子台カバーと、前記保護枠内に設置され前記端子台を収容する板金ケースと、前記板金ケースの下部開口を開閉可能な板金製端子台カバーと、を備えることを特徴とする。
【発明の効果】
【０００７】
本発明にかかる換気装置は、端子台の万一の過熱時に、樹脂製のファンケーシング及び保護枠の損耗を防ぐことができる、という効果を奏する。
【図面の簡単な説明】
【０００８】
【図１】図１は、本発明にかかる換気装置の実施の形態の樹脂製端子台カバーを閉じた状態を示す下面図である。
【図２】図２は、実施の形態の換気装置の樹脂製端子台カバーを取外した状態を示す下面図である。
【図３】図３は、実施の形態の換気装置の縦断面図である。
【図４】図４は、実施の形態の換気装置の端子台を覆う板金ケースを示す斜視図である。
【図５】図５は、実施の形態の換気装置の板金ケースの板金製端子台カバー取付部を示す斜視図である。
【図６】図６は、実施の形態の換気装置の板金製端子台カバーの取付方法を示す斜視図である。
【図７】図７は、実施の形態の換気装置の板金製端子台カバーを示す斜視図である。
【図８】図８は、実施の形態の換気装置の板金製端子台カバーを開いた状態を示す断面図である。
【図９】図９は、実施の形態の換気装置の樹脂製端子台カバーの裏面斜視図である。
【図１０】図１０は、実施の形態の換気装置の樹脂製端子台カバーと板金製端子カバーが干渉した状態を示す断面図である。
【符号の説明】
【０００９】
１０  換気装置
１１  本体筐体
１１ａ  開口部
１２  送風機
１３  樹脂製のファンケーシング
１３ａ  保護枠開口部
１４  吸込口
１５  板金製端子台カバー
１５ａ  スリット
１５ｂ  引掛部
１６  樹脂製端子台カバー
１６ａ  リブ
１６ｂ  爪
１７  ダクト接続筒
１８  保護枠
１８ａ  ヒンジ
１９  係止突起
２１  板金ケース
２２  カバー引掛部
２５  ねじ
３１  天井
３２  ダクト
３３  化粧パネル
３４  外部電源電線
【発明を実施するための最良の形態】
【００１０】
以下に、本発明にかかる換気装置の実施の形態を図面に基づいて詳細に説明する。なお、この実施の形態によりこの発明が限定されるものではない。【００１１】
実施の形態
図１は、本発明にかかる換気装置の実施の形態の樹脂製端子台カバーを閉じた状態を示す下面図であり、図２は、実施の形態の換気装置の樹脂製端子台カバーを取外した状態を示す下面図であり、図３は、実施の形態の換気装置の縦断面図であり、図４は、実施の形態の換気装置の端子台を覆う板金ケースを示す斜視図であり、図５は、実施の形態の換気装置の板金ケースの板金製端子台カバー取付部を示す斜視図であり、図６は、実施の形態の換気装置の板金製端子台カバーの取付方法を示す斜視図であり、図７は、実施の形態の換気装置の板金製端子台カバーを示す斜視図であり、図８は、実施の形態の換気装置の板金製端子台カバーを開いた状態を示す断面図であり、図９は、実施の形態の換気装置の樹脂製端子台カバーの裏面斜視図であり、図１０は、実施の形態の換気装置の樹脂製端子台カバーと板金製端子カバーが干渉した状態を示す断面図である。【００１２】
図１〜図３に示すように、実施の形態の換気装置１０は、建物の天井３１の裏側に設置され、室内の空気を吸込んで、ダクト３２を通して室外へ排気する。換気装置１０は、板金製箱型の本体筐体１１と、本体筐体１１内に組付けられた送風機１２と、本体筐体１１の一側部に形成された図示しない排気口に着脱可能に装着されたダクト接続筒１７と、本体筐体１１の下部に形成された開口部１１ａを覆うように、天井３１に沿って装着される化粧パネル３３と、を備えている。【００１３】
送風機１２は、本体筐体１１の下部の開口部１１ａから室内の空気を吸込んで、樹脂製のファンケーシング１３、排気口、ダクト接続筒１７及びダクト３２を通して室外へ排気する。送風機１２の樹脂製のファンケーシング１３は、本体筐体１１の下部の開口部１１ａに設置され、そのベルマウス状の吸込口１４以外の本体筐体１１の開口部１１ａを塞いでいる。本体筐体１１の内部のファンケーシング１３の送風機１２の風路外のコーナー部には、送風機１２と外部電源電線３４とを接続する速結端子を備える端子台（図示省略）が設置される。【００１４】
ファンケーシング１３の外側（風路外）の本体筐体１１内部のコーナー部には、上記端子台を覆い（収容し）、外周部が本体筐体１１の内面に接し、上部が開放された保護枠１８が形成されている。保護枠１８は、保護枠１８の下部の保護枠開口部１３ａを水密に密閉する、ヒンジ１８ａ（図１、図１０参照）によって開閉可能な樹脂製端子台カバー１６を備えている。【００１５】
保護枠１８の下部の開口端部と樹脂製端子台カバー１６の外周部とは、凹凸の密閉嵌合となっている。樹脂製端子台カバー１６の爪１６ｂ（図９、図１０参照）が保護枠１８に設けられた係止突起１９（図２、図８、図１０参照）に係止されることにより、樹脂製端子台カバー１６が閉止される。上記端子台は、保護枠１８及び樹脂製端子台カバー１６により、本体筐体１１の下部の開口部１１ａ（送風機１２の吸込側）から隔離され、高湿度雰囲気下においても、湿気から保護されている。【００１６】
上記端子台の万一の過熱時の、樹脂製のファンケーシング１３及び保護枠１８の損耗防止を目的として、図４〜図１０に示すように、保護枠１８及び樹脂製の端子台カバー１６の内側に、上記端子台を収容する（周囲を覆う）板金ケース２１と、板金ケース２１の下部開口を開閉可能な板金製端子台カバー１５とを設置する。板金ケース２１の下部開口を開閉可能な板金製端子台カバー１５を設けることにより、外部電源電線３４（図３参照）の上記端子台への接続作業を、本体筐体１１の開口部１１ａ側から行なうことができる。【００１７】
図４〜図７に示すように、板金製端子台カバー１５を開閉可能とするために、板金ケース２１に半円筒状のカバー引掛部２２を設ける。板金ケース２１の半円筒状のカバー引掛部２２に、板金製端子台カバー１５のスリット１５ａを引掛け、板金ケース２１に蓋をする。【００１８】
板金ケース２１のカバー引掛部２２の開口幅寸法Ａ（図５参照）は、板金製端子台カバー１５の板厚以上で、かつ、引掛部１５ｂの幅寸法Ｂ（図７参照）未満とし、板金製端子台カバー１５が閉じているときの角度を０°とすると、板金製端子台カバー１５の開き角が、１４５°となるまでは、引掛部１５ｂがカバー引掛部２２の開口から外れない寸法とする。【００１９】
板金製端子台カバー１５が１８０°開いても、カバー引掛部２２から外れたり、落下したりしないようにするには、図４に示す板金製端子台カバー１５を閉じた状態で、カバー引掛部２２の開口幅寸法Ａが、板金製端子台カバー１５の板厚以下になるように、カバー引掛部２２に板金製端子台カバー１５のスリット１５ａを嵌めた後に、カバー引掛部２２を曲げ加工する必要がある。【００２０】
本体筐体１１へ板金ケース２１を取付けた後に、本体筐体１１へ樹脂製のファンケーシング１３を取付けるようにし、図８に示すように、板金製端子台カバー１５が９０°以上、例えば、１４５°開いたとき、保護枠開口部１３ａに板金製端子台カバー１５が当接するように、保護枠開口部１３ａを形成する。【００２１】
このようにすれば、板金ケース２１のカバー引掛部２２の開口幅寸法Ａを、後加工により小さくする必要はなく、安価に、板金製端子台カバー１５が落下しない構造とすることができる。ファンケーシング１３は、換気装置１０の製造工場での組立時に取付けられ、換気装置１０の据付、電気工事時や稼動時は、取外すことはないので、板金製端子台カバー１５が落下することはない。【００２２】
また、板金製端子台カバー１５は、ねじ２５（図２、図４参照）を外すと、自重で開くようになっている。電気工事での結線終了後、板金製端子台カバー１５をねじ２５で閉じずに、ファンケーシング１３の樹脂製端子台カバー１６を閉じると、板金製端子台カバー１５が閉じられていなくても、樹脂製端子台カバー１６を閉じることができる。【００２３】
板金製端子台カバー１５のねじ２５の締め忘れを防止するために、図９及び図１０に示すように、樹脂製端子台カバー１６の裏側にリブ１６ａを設け、板金製端子台カバー１５のねじ２５を締め忘れ、板金製端子台カバー１５が開いた状態で、樹脂製端子台カバー１６を閉じようとしたときに、板金製端子台カバー１５がリブ１６ａに当たり、樹脂製端子台カバー１６を閉じることができないようにすれば、板金製端子台カバー１５のねじ２５の締め忘れを防ぐことができる。【００２４】
以上説明したように、実施の形態の換気装置１０は、端子台の万一の過熱時に、樹脂製のファンケーシング１３及び保護枠１８の損耗を防ぐことができる。
【産業上の利用可能性】
【００２５】
以上のように、本発明にかかる換気装置は、浴室や台所に設置される換気装置として有用である。
【図１】
2009144778.tif 000003
【図２】
2009144778.tif 000004
【図３】
2009144778.tif 000005
【図４】
2009144778.tif 000006
【図５】
2009144778.tif 000007
【図６】
2009144778.tif 000008
【図７】
2009144778.tif 000009
【図８】
2009144778.tif 000010
【図９】
2009144778.tif 000011
【図１０】
2009144778.tif 000012
【国際調査報告】
2009144778.tif 000013
2009144778.tif 000014
2009144778.tif 000015
2009144778.tif 000016